(57)【特許請求の範囲】
【請求項１】
本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）と、
前記縮小画像を複数種類の画調に変換する画調変換手段と、
を備え、
前記表示手段の１列目に前記複数の縮小画像を配列表示し、（２〜ｍ）列目には前記１列目に表示している縮小画像を前記画調変換手段により画調変換した互いに異なる（ｍ−１）種類の画調変換画像を配列表示させる表示制御手段と、
前記表示手段に表示されている縮小画像及び画調変換画像から、少なくとも１つの縮小画像とその画調変換画像を含む画像ファイルを作成するファイル作成手段と、
を具備したことを特徴とする画像表示装置。
【請求項２】
更に、前記ファイル作成手段が作成した画像ファイルをメモリカードに保存する保存手段を具備したことを特徴とする請求項１記載の画像表示装置。
【請求項３】
前記ファイル作成手段は、前記表示手段に表示されている縮小画像を指定すると、その指定した縮小画像とその縮小画像を画調変換した複数の画調変換画像を組にして１つの画像ファイルとして前記保存手段に保存することを特徴とする請求項２記載の画像表示装置。
【請求項４】
更に、画像表示時計に前記画像ファイルが保存されたメモリカードを装着することによって、前記前記表示手段に表示されていた少なくとも１つの縮小画像とその画調変換画像を前記画像表示時計に表示可能とすることを特徴とする請求項２または３記載の画像表示装置。
【請求項５】
更に、前記表示手段を垂直方向へページ送り操作することにより１列目に表示している縮小画像をページ送りする第１の送り手段と、
前記表示手段を水平方向へページ送り操作することにより（２〜ｍ）列目には前記１列目に表示している縮小画像を前記画調変換手段により変換した（ｍ−１）種類とは更に異なる種類の画調変換画像を配列表示させる第２の送り手段と、
を具備したことを特徴とする請求項１乃至４いずれか記載の画像表示装置。
【請求項６】
本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）と、
前記縮小画像を複数種類の画調に変換する画調変換手段と、
を備え、
前記表示手段の１行目に前記複数の縮小画像を配列表示し、（２〜ｎ）行目には前記１行目に表示している縮小画像を前記画調変換手段により画調変換した互いに異なる（ｎ−１）種類の画調変換画像を配列表示させる表示制御手段と、
前記表示手段に表示されている縮小画像及び画調変換画像から、少なくとも１つの縮小画像とその画調変換画像を含む画像ファイルを作成するファイル作成手段と、
を具備したことを特徴とする画像表示装置。
【請求項７】
更に、前記表示手段を水平方向へページ送り操作することにより１行目に表示している縮小画像をページ送りする第１の送り手段と、
前記表示手段を垂直方向へページ送り操作することにより（２〜ｎ）行目には前記１行目に表示している縮小画像を前記画調変換手段により変換した（ｎ−１）種類とは更に異なる種類の画調変換画像を配列表示させる第２の送り手段と、
を具備したことを特徴とする請求項６記載の画像表示装置。
【請求項８】
本画像を表す複数の画像データそれぞれに対して縮小された画像である縮小画像を垂直方向にｎ行、水平方向にｍ列のマトリクス状に（ただしｍ、ｎは３以上の自然数）表示画面に表示可能な画像表示装置のコンピュータが、
前記縮小画像を複数種類の画調に変換する画調変換ステップと、
前記表示画面の１列目に前記複数の縮小画像を配列表示し、（２〜ｍ）列目には前記１列目に表示している縮小画像を前記画調変換ステップにより画調変換した互いに異なる（ｍ−１）種類の画調変換画像を配列表示させる表示制御ステップと、
前記表示画面に表示されている縮小画像及び画調変換画像から、少なくとも１つの縮小画像とその画調変換画像を含むＪＰＥＧ形式のファイルを作成するファイル作成ステップと、
を実行することを特徴とする画像表示方法。
【請求項９】
本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）を備えた画像表示装置のコンピュータを、
前記縮小画像を複数種類の画調に変換する画調変換手段と、
前記表示手段の１列目に前記複数の縮小画像を配列表示し、（２〜ｍ）列目には前記１列目に表示している縮小画像を前記画調変換手段により画調変換した互いに異なる（ｍ−１）種類の画調変換画像を配列表示させる表示制御手段と、
前記表示手段に表示されている縮小画像及び画調変換画像から、少なくとも１つの縮小画像とその画調変換画像を含む１つの画像ファイルを作成するファイル作成手段と、
して機能させることを特徴とするプログラム。
【発明の詳細な説明】
【技術分野】
【０００１】
本発明は、画像表示装置、画像表示方法並びにプログラムに関し、特に画像を異なった画調の画像に変換する技術に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している（例えば、特許文献１）。
【０００４】
デジタルフォトフレームでは、デジタル方式の特性を活かし、従来のプリント写真を掲出するフォトフレームではできなかった複数の写真をスライドショー形式で表示するなどの多様な表示態様を実現することができるとともに、画像処理を加えることで、例えば、元の写真をベースとしつつも趣の異なる画調の画像（例えば絵画調など）を生成して表示することができるようにした発明が提案されている（例えば、特許文献２）。
【０００５】
これにより、単なる写真ではなく、あたかも絵画のように楽しむことができるが、特許文献２に記載の技術では、画素単位でシミュレートするために、画像全体を勘案して芸術性を高めるという点においては不足する点もあった。
【０００６】
このため、実際に画家が描いた絵画の画像から色彩情報と筆触情報等の特徴を抽出し、撮影された画像に抽出した特徴を付与することにより、原画像全体を勘案して芸術性の高い絵画調画像に変換する技術も提案されるに至っている（例えば、特許文献３）。
【０００７】
これにより、原画像から芸術性の高い画像を得るための画像処理として、原画像全体を勘案して、芸術性の演出効果をより高める画像のデータを生成する画像処理を実現することができる。
【０００８】
他方、このようなデジタルフォトフレームでは、常時は時刻表示をさせておくケースが多い。本体形状を卓上クロック（置き時計）のような形状にすれば、画像も表示できる画像表示時計として使用することもできる。
【０００９】
一般的にデジタルフォトフレームはＳＤカードのようなメモリカードを使用することができるので、画像表示時計にもメモリカードスロットを設けておけば、記録されている画像データを表示させたり、時刻の背景に表示させたりすることも可能である。
【先行技術文献】
【特許文献】
【００１０】
【特許文献１】特開２００９−１４１６７８号公報
【特許文献２】特開平８−４４８６７号公報
【特許文献３】特開２００４−２１３５９８号公報
【発明の概要】
【発明が解決しようとする課題】
【００１１】
しかしながら、上記発明における画調変換には油絵調、水彩画調、パステル画調・・・など多数の画調変換が含まれるが、このような変換処理を実施するためには、ＣＰＵによる大量の演算を必要とするため、撮影した写真を変換する時間が長いという課題がある。
【００１２】
変換処理に時間がかかると、その場で色々な変換を試して最適な変換画調画像を選択するのは困難となる。
【００１３】
他方、デジタルフォトフレームはメモリカードを使用してデータの記録再生が可能だとしても、特殊な表示形式を作成した場合、他の画像表示装置では特殊な表示形式の画像は再生できないという課題もあった。
【００１４】
本発明は、上記のような事情に鑑みなされたもので、素早く複数種類の画調変換を行った画像の雰囲気を把握することができる画像表示装置、画像表示方法並びにプログラムを提供することを目的とする。
【００１５】
また、所望の種類の画調で変換する画像を素早く選択することができる画像表示装置、画像表示方法並びにプログラムを提供することを目的とする。
【００１６】
また、所定の表示形式の画像を、メモリカードを介して他の画像表示装置でも再生できる画像表示装置、画像表示方法並びにプログラムを提供することを目的とする。
【課題を解決するための手段】
【００１７】
請求項１記載の発明は、本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）と、前記縮小画像を複数種類の画調に変換する画調変換手段と、を備え、前記表示手段の１列目に前記複数の縮小画像を配列表示し、（２〜ｍ）列目には前記１列目に表示している縮小画像を前記画調変換手段により画調変換した互いに異なる（ｍ−１）種類の画調変換画像を配列表示させる表示制御手段と、前記表示手段に表示されている縮小画像及び画調変換画像から、少なくとも１つの縮小画像とその画調変換画像を含む画像ファイルを作成するファイル作成手段と、を具備したことを特徴とする画像表示装置を提供するものである。
【００１８】
請求項２記載の発明は、更に、前記ファイル作成手段が作成した画像ファイルをメモリカードに保存する保存手段を具備したことを特徴とする請求項１記載の画像表示装置を提供するものである。
【００１９】
請求項３記載の発明は、前記ファイル作成手段は、前記表示手段に表示されている縮小画像を指定すると、その指定した縮小画像とその縮小画像を画調変換した複数の画調変換画像を組にして１つの画像ファイルとして前記保存手段に保存することを特徴とする請求項２記載の画像表示装置を提供するものである。
【００２０】
請求項４記載の発明は、更に、画像表示時計に前記画像ファイルが保存されたメモリカードを装着することによって、前記前記表示手段に表示されていた少なくとも１つの縮小画像とその画調変換画像を前記画像表示時計に表示可能とすることを特徴とする請求項２または３記載の画像表示装置を提供するものである。
【００２１】
請求項５記載の発明は、更に、前記表示手段を垂直方向へページ送り操作することにより１列目に表示している縮小画像をページ送りする第１の送り手段と、前記表示手段を水平方向へページ送り操作することにより（２〜ｍ）列目には前記１列目に表示している縮小画像を前記画調変換手段により変換した（ｍ−１）種類とは更に異なる種類の画調変換画像を配列表示させる第２の送り手段と、を具備したことを特徴とする請求項１乃至４いずれか記載の画像表示装置を提供するものである。
【００２２】
請求項６記載の発明は、本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）と、前記縮小画像を複数種類の画調に変換する画調変換手段と、を備え、前記表示手段の１行目に前記複数の縮小画像を配列表示し、（２〜ｎ）行目には前記１行目に表示している縮小画像を前記画調変換手段により画調変換した互いに異なる（ｎ−１）種類の画調変換画像を配列表示させる表示制御手段と、前記表示手段に表示されている縮小画像及び画調変換画像から、少なくとも１つの縮小画像とその画調変換画像を含む画像ファイルを作成するファイル作成手段と、を具備したことを特徴とする画像表示装置を提供するものである。
【００２３】
請求項７記載の発明は、更に、前記表示手段を水平方向へページ送り操作することにより１行目に表示している縮小画像をページ送りする第１の送り手段と、前記表示手段を垂直方向へページ送り操作することにより（２〜ｎ）行目には前記１行目に表示している縮小画像を前記画調変換手段により変換した（ｎ−１）種類とは更に異なる種類の画調変換画像を配列表示させる第２の送り手段と、を具備したことを特徴とする請求項６記載の画像表示装置を提供するものである。
【００２４】
請求項８記載の発明は、本画像を表す複数の画像データそれぞれに対して縮小された画像である縮小画像を垂直方向にｎ行、水平方向にｍ列のマトリクス状に（ただしｍ、ｎは３以上の自然数）表示画面に表示可能な画像表示装置のコンピュータが、前記縮小画像を複数種類の画調に変換する画調変換ステップと、前記表示画面の１列目に前記複数の縮小画像を配列表示し、（２〜ｍ）列目には前記１列目に表示している縮小画像を前記画調変換ステップにより画調変換した互いに異なる（ｍ−１）種類の画調変換画像を配列表示させる表示制御ステップと、前記表示画面に表示されている縮小画像及び画調変換画像から、少なくとも１つの縮小画像とその画調変換画像を含むＪＰＥＧ形式のファイルを作成するファイル作成ステップと、を実行することを特徴とする画像表示方法を提供するものである。
【００２５】
請求項９記載の発明は、本画像を表す複数の画像データそれぞれに対して縮小された画像である縮小画像を垂直方向にｎ行、水平方向にｍ列のマトリクス状に表示可能な表示手段（ただしｍ、ｎは３以上の自然数）を備えた画像表示装置のコンピュータを、前記縮小画像を複数種類の画調に変換する画調変換手段と、前記表示手段の１列目に前記複数の縮小画像を配列表示し、（２〜ｍ）列目には前記１列目に表示している縮小画像を前記画調変換手段により画調変換した互いに異なる（ｍ−１）種類の画調変換画像を配列表示させる表示制御手段と、前記表示手段に表示されている縮小画像及び画調変換画像から、少なくとも１つの縮小画像とその画調変換画像を含む１つの画像ファイルを作成するファイル作成手段と、して機能させることを特徴とするプログラムを提供するものである。
【発明の効果】
【００２６】
本発明によれば、素早く多数の画像に対して複数種類の画調変換を行った場合の雰囲気をみることができる。
【図面の簡単な説明】
【００２７】
【図１】（ａ）は本発明の実施形態に係る画像表示装置の外観を示す斜視図、また、同図（ｂ）は画像表示時計の外観を示す斜視図である。
【図２】画像表示装置の回路構成を示すブロック図である。
【図３】（ａ）はメモリカードにおけるフォルダＡの記憶状態を示す図であり、（ｂ）はフォルダＢの記憶状態を示す図である。
【図４】本発明の実施の形態における画像表示装置の処理手順を示すフローチャートである。
【図５】実施の形態における遷移図である。
【図６】実施の形態における他の遷移図である。
【発明を実施するための形態】
【００２８】
以下、本発明の実施形態について説明する。図１（ａ）は、本発明を適用した画像表示装置１及びこれを操作するためのリモコン１００を示す斜視図である。画像表示装置１の正面には、本体２に保持された液晶表示パネル３によって構成される表示部が設けられている。本体２の前面上部には、リモコン１００から送信される赤外線信号を受信する赤外線信号受信部４が設けられ、側面にはメモリカードスロット６が設けられている。リモコン１００には、電源スイッチ１０１及び複数の操作スイッチ１０２が設けられている。
【００２９】
また、同図（ｂ）は置き時計形状に構成した画像表示時計１０を示す斜視図である。２０は本体、６はカードスロット、３は液晶表示パネルであり、通常は時刻表示３０３がなされている。画像表示時計１０の電気的構成は画像表示装置１とほぼ同様であるので説明は省略するが、電波時計の機能を内蔵しており、時刻表示３０３が適正時刻に保持される。４０はダイヤルで、時計の時刻合わせ等に用いる。７０はモードキーであり、７１は時計モードキー、７２は通常モード（フォトフレームモード）、７３はエフェクトモードを指定するキーである。８０はカーソルキーで画面の上下左右を指定する。９０はエフェクトモードのときに表示されている画像を一括で画調変換するための一括変換キー、９１は確定キーである。
【００３０】
図２は、画像表示装置１の電気的構成を示したブロック図である。画像表示装置１は、ＣＰＵ（Central Processing Unit）１１と、ＣＰＵ１１に接続されたＲＯＭ（Read Only Memory）１２、ＲＡＭ（Random Access memory）１３、前記赤外線信号受信部４を備えたＩｒデータ受信モジュール１４、表示コントローラ１６、メモリカードコントローラ１７、タッチパネル１９及び無線通信部２０を有している。
【００３１】
ＲＯＭ１２には、ＣＰＵ１１に後述するフローチャートに示す動作を行わせるためのプログラムが記憶されている。また、ＲＯＭ１２には、画調変換のためのプログラムが記憶されているもので、例えば実際に画家により描かれた油絵、水彩画、パステル画、鉛筆画、クレヨン画、イラスト画、点描画、エアブラシ画の各原画と、これら原画から色彩情報と筆触情報等の特徴を抽出し、抽出した特徴を付与することで入力画像に対し画調変換処理を行い、変換画調画像を作成する特開２００４−２１３５９８に開示されている技術に基づく変換画調画像作成プログラムも記憶されている。
【００３２】
ＲＡＭ１３は、ＣＰＵ１１が必要に応じて種々のデータを一時的に記憶する作業用のメモリである。Ｉｒデータ受信モジュール１４は、赤外線信号受信部４が受信したリモコン１００からの赤外線信号を復調して、リモコン１００でのキー操作に応じたその指示内容をＣＰＵ１１に供給する。
【００３３】
表示コントローラ１６は、ＣＰＵ１１から供給される表示用の画像データに基づき液晶表示パネル３を駆動することにより、画像データにより表される画像を液晶表示パネル３に表示させる。メモリカードコントローラ１７は、メモリカードスロット６に着脱自在に装着された各種のメモリカード１８と、これに接続されたＣＰＵ１１との間におけるデータの入出力を制御する入出力インターフェースである。タッチパネル１９は、液晶表示パネル３に積層され、液晶表示パネル３上におけるユーザの手指によるタッチ位置を検出する。タッチ入力方式は光学式、静電容量方式等色々あり、方式に限定されるものではなく、位置検出はカーソルによる選択でよい。
【００３４】
無線通信部２０は、アンテナ２１に接続されており、端末認証処理を含む通信処理及び通信プロトコルに沿ったデータ処理を行う。
【００３５】
また、画像表示装置１には、動作モードとして通常モードとエフェクトモードが用意されており、ユーザが操作スイッチ１０２を所定の手順で操作することによって、動作モードの切替が可能となっている。
【００３６】
通常モードは、一般的なデジタルフォトフレーム（ＤＰＦ）と同様に、メモリカード１８に画像データとして記憶されている画像を液晶表示パネル３にそのまま表示する動作モードである。
【００３７】
なお、画像表示装置１において表示可能な画像は、例えばデジタルカメラによって撮像された画像であり、ＪＰＥＧ（Joint Photographic Expert Group）方式により圧縮され、撮影日時等の付加情報とともに静止画ファイルとして記憶されている画像である。もちろんＲＡＷ、ＢＭＰ、ＰＮＧなど各種の画像フォーマットをサポートすることができる。画像ソースはデジタルカメラで撮影したものでなくてもよい。
【００３８】
エフェクトモードは、メモリカード１８に記憶されている表示対象の画像を、絵画が有する特徴を備えた絵画調画像、つまり特定の効果を与えた絵画調画像に変換し、変換後の絵画調画像を液晶表示パネル３に表示する動作モードである。
【００３９】
また、エフェクトモードでは、絵画調画像への変換に際して目標とする絵画の種類、つまり変換画調画像にする特徴（画調）が選択可能である。本実施の形態において、選択可能な画調は油絵調、水彩画調、パステル画調、鉛筆画調、クレヨン画調、イラスト画調、点描画調、エアブラシ画調とする。しかし、これに限ることなく、ゴッホ調、モネ調、ピカソ調など、画家の特徴を加味した変換の選択を可能としても良い。また、別の画調のアルゴリズムを後述するメモリカード１８で提供するようにすることもできる。
【００４０】
なお、各実施の形態においては、油絵調からエアブラシ画調までの８種類の画調に変換するプログラムが記憶されているが、その優先順序は、（１）油絵調、（２）水彩画調、（３）パステル画調、（４）鉛筆画調、（５）クレヨン画調、（６）イラスト画調、（７）点描画調、（８）エアブラシ画調とする。
【００４１】
図３は、メモリカード１８の記録内容を示すメモリ構成図である。このメモリカード１８は、デジタルカメラに着脱自在に装着されていたものであって、図３（ａ）に示すフォルダＡと同図（ｂ）に示すフォルダＢとが設けられる。フォルダＡには、デジタルカメラでの撮影に伴って多数の画像がＪＰＥＧのファイル方式でファイル化されて、画像ファイルＦ１、Ｆ２、Ｆ３・・・として記録されている。各画像ファイルＦ１、Ｆ２、Ｆ３・・・は、ＥＸＩＦ（Exchangeable Image File Format）などのデータを有するヘッダと、撮影された画像であり本画像である画像データ（本画像１、２、３・・・）と、その画像データの縮小画像であるサムネイルの画像データ（サムネイル１、２、３・・・）とで構成されている。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００４２】
つまり、これら画像ファイルＦ１、Ｆ２、Ｆ３・・・は、一般的なデジタルカメラのファイルフォーマットである。したがって、デジタルカメラで撮像したＳＤカード（メモリカード１８）をメモリカードスロット６に差し込むだけで使用できるようになっている。
【００４３】
また、フォルダＢには、後述する処理により絵画調変換サムネイルを含む画像データが汎用的なファイル形式であるＪＰＥＧ方式により圧縮され、変換日時等の付加情報と共に静止画ファイルとして記憶される。
【００４４】
以下、本実施の形態のエフェクトモードにおける画像表示装置１の具体的な動作について説明する。
【００４５】
図４は、本実施の形態においてエフェクトモードが設定されているときのＣＰＵ１１の処理手順を示すフローチャートである。エフェクトモードが設定されているとき、ＣＰＵ１１は、ＲＯＭ１２に記憶されているプログラムに従いこのフローチャートに示すように処理を実行する。
【００４６】
まず、ＣＰＵ１１は、メモリカード１８のフォルダＡから表示対象とする４個の画像ファイルから各々サムネイル画像データを読み出す（ステップＳ１０１）。そして、これら読み出した４枚分のサムネイル画像データを各々３種類の画調で画調変換処理する（ステップＳ１０２）。すなわち、優先順序は、（１）油絵調、（２）水彩画調、（３）パステル画調であるから、４枚のサムネイルを油絵調、水彩画調、パステル画調で各々画調変換処理する。したがって、このときステップＳ１０１でファイルＦ１〜Ｆ４からサムネイル１〜４が読み出されているとすると、サムネイル１〜４が油絵調、水彩画調、パステル画調で各々画調変換処理される。
【００４７】
引き続き、対応するサムネイルと３枚の画調変換画像との計４枚の画像を液晶表示パネル３において行方向に表示する（ステップＳ１０３）。したがって、サムネイル１〜４が読み出されて油絵調、水彩画調、パステル画調で各々画調変換処理されたとすると、ステップＳ１０３での処理により、液晶表示パネル３は図５（ａ）に示すような表示状態となる。
【００４８】
すなわち、液晶表示パネル３において左端にサムネイル１〜４が列方向に表示されるとともに、例えばサムネイル１に対応してその画調変換画像である「油絵調１」、「水彩画調１」、「パステル画調１」が行方向に表示される。また、他のサムネイル２、３、４も同様であって、各々対応してその画調変換画像である「油絵調２、３、４」、「水彩画調２、３、４」、「パステル画調２、３、４」が行方向に表示される。
【００４９】
また、このときＣＰＵ１１は、液晶表示パネル３に下ページ送りボタン３０１、右ページ送りボタン３０２、上ページ送りボタン３０３及び左ページ送りボタン３０４を表示させる。
【００５０】
なお、本実施の形態においては、平面座標におけるＸ方向を行方向と称し、Ｙ方向を列方向と称する。
【００５１】
この状態で、指によるタッチスライド操作、もしくは下ページ送りボタン３０１により下ページへ送ることも（矢印Ｘ）、右ページ送りボタン３０２により右ページへ送ることも（矢印Ｙ）できる。
【００５２】
すなわち、ステップＳ１０３に続くステップＳ１０４では、右ページ送りボタン３０２がタッチされたか否かを判断する。右ページ送り３０２がタッチされない場合には、下ページ送りボタン３０１がタッチされたか否かを判断し（ステップＳ１０５）、下ページ送りボタン３０１がタッチされた場合には、ステップＳ１０１に戻る。
【００５３】
下方向へページ送りされると（ステップＳ１０５；ＹＥＳ）、次の画像のサムネイル表示に進む。すなわち、図４のフローチャートを繰り返し、ＣＰＵ１１はメモリカード１８のフォルダＡから表示対象とする次の４個の画像ファイルから各々サムネイル画像データを読み出す（ステップＳ１０１）。このとき、前回の処理でファイルＦ１〜Ｆ４からサムネイル１〜４が読み出されたとすると、今回の処理でファイルＦ５〜Ｆ８からサムネイル５〜８が読み出される。そして、こられサムネイル５〜８が油絵調、水彩画調、パステル画調で各々画調変換処理されて（ステップＳ１０２）、表示される（ステップＳ１０３）。
【００５４】
よって、液晶表示パネル３は図５（ａ）の状態から同図（ｂ）の状態に遷移し、左端にサムネイル５〜８が列方向に表示されるとともに、例えばサムネイル５に対応してその画調変換画像である「油絵調５」、「水彩画調５」、「パステル画調５」が行方向に表示される。また、他のサムネイル６、７、８も同様であって、各々対応してその画調変換画像である「油絵調６、７、８」、「水彩画調６、７、８」、「パステル画調６、７、８」が行方向に表示される。
【００５５】
したがって、素早く所望の画調変換を行った画像を見ることができるのみならず、いずれの画像をいずれの画調画像に変換するかを簡単に選択することができる。
【００５６】
また、右方向へページ送りされると（ステップＳ１０４；ＹＥＳ）、同じサムネイル画像データに対して、異なった種類の画調変換を行う。
【００５７】
すなわち、ＣＰＵ１１はステップＳ１０４からステップＳ１０２に戻って、既に読み出されている４枚分のサムネイル画像データを各々次の３種類の画調で画調変換処理する。すなわち、優先順序は、（４）鉛筆画調、（５）クレヨン画調、（６）イラスト画調であるから、４枚のサムネイル画像データを鉛筆画調、クレヨン画調、イラスト画調で各々画調変換処理する。したがって、このときステップＳ１０１でファイルＦ１〜Ｆ４からサムネイル１〜４が読み出されているとすると、サムネイル１〜４が鉛筆画調、クレヨン画調、イラスト画調で各々画調変換処理される。
【００５８】
引き続き、対応するサムネイルと３枚の画調変換画像との計４枚の画像を液晶表示パネル３において行方向に表示する（ステップＳ１０３）。したがって、サムネイル１〜４が読み出されて鉛筆画調、クレヨン画調、イラスト画調で各々画調変換処理されたとすると、ステップＳ１０３での処理により、液晶表示パネル３は図６（ａ）の表示状態（図５（ａ）と同一の表示状態）から同図（ｂ）に移行する。
【００５９】
すなわち、液晶表示パネル３において左端にサムネイル１〜４が列方向に表示されるとともに、例えばサムネイル１に対応してその画調変換画像である「鉛筆画調１」、「クレヨン画調１」、「イラスト画調１」が行方向に表示される。また、他のサムネイル２、３、４も同様であって、各々対応してその画調変換画像である「鉛筆画調２、３、４」、「クレヨン画調２、３、４」、「イラスト画調２、３、４」が行方向に表示される。
【００６０】
したがって、素早く所望の画調変換を行った画像を見ることができるのみならず、いずれの画像をいずれの画調画像に変換するかを簡単に選択することができる。
【００６１】
サムネイルがＱＣＩＦサイズ（１７６×１４４ドット）くらいあれば十分に画調のニュアンスをみることができる。画像表示装置１の表示画面が大きく、３行３列表示にすればＱＶＧＡサイズ（３２０×２４０ドット）のサムネイルも可能である。
【００６２】
なお、上記説明では、下ページ送りまたは右ページ送りされると、画面がそっくり次ページに入れ替わるようにしたが、下または右へ１行ずつ表示がシフトしていくようにもできる。上ページ送り、左ページ送りをすれば前のページに戻る。
【００６３】
次に、この４行４列で表示された画像においていずれかの画像がタッチされたか否かを判断する（ステップＳ１０６）。
【００６４】
もし、タッチされたのがサムネイル６であるとすると、そのサムネイル６を各種類の画調に変換した画像を含む画像データを生成する（ステップＳ１０７）。したがって、例えば図５（ｂ）の表示状態でユーザが「サムネイル６」にタッチしたとすると、全画像は「サムネイル６」、この「サムネイル６」を油絵調に画調変換した「油絵調６」、水彩画調に画調変換した「水彩画調６」、パステル画調変換した「パステル画調６」、鉛筆画調変換した「鉛筆画調６」、クレヨン画調変換した「クレヨン画調６」、イラスト画調変換した「イラスト画調６」、点描画調変換した「点描画調６」、エアブラシ画調変換した「エアブラシ画調６」を作成し、図５（ｃ）に示すように、画像データＤ６が生成される。
【００６５】
さらに、ＣＰＵ１１はこの生成した画像データＤ６をＪＰＥＧ方式で処理し、圧縮する（ステップＳ１０８）。したがって、このステップＳ１０８での処理により、前記画像データ「Ｄ６」からＪＰＥＧ形式の画像データ「Ｄ６.ＪＰＥＧ」が生成される。そして、この生成されたＪＰＥＧ形式の画像データをメモリカード１８のフォルダＢに保存する（ステップＳ１０９）。よって、このステップＳ１０９での処理により、図３（ｂ）に例示するようにメモリカード１８のフォルダＢには、ＪＰＥＧ形式の画像データ「Ｄ６.ＪＰＥＧ」が記憶される。
【００６６】
このフォルダＢに記憶された画像データ「Ｄ６.ＪＰＥＧ」にあっては、ＪＰＥＧ形式の画像データであることから、メモリカード１８を当該画像表示装置１から取り外して、画像表示時計１０や他のＤＰＦ等に装着することにより、「サムネイル６」およびこれを各種類の画調に変換した各変調画像を再生して表示することができる。したがって、この画像表示装置１で素早く所望の画調変換を行った画像を見ることができるという効果を他の機器、例えば画像表示時計１０でも得ることができる。
【００６７】
この画像データ「Ｄ６.ＪＰＥＧ」の記憶に際しては、ヘッダを有する静止画ファイルとして画像データ「Ｄ６.ＪＰＥＧ」を記憶し、ヘッダには例えば変換日時や変換した画調の種類等を記録することが好ましい。
【００６８】
なお、本実施の形態では１つのサムネイルと８種類の画調変換画像を１つの静止画ファイルとして記憶するようにしたが、表示されている行方向一列、あるいは縦方向１列、あるいは１画面全部、などを１つの静止画像ファイルとして記録することは種々変更可能である。
【００６９】
例えば、図６（ｂ）の状態で、「サムネイル１」をタッチした場合、同図（ｃ）に示すように、当該行に属する画像は「サムネイル１」、この「サムネイル１」を鉛筆調に画調変換した「鉛筆調１」、クレヨン画調に画調変換した「クレヨン画調１」、イラスト画調変換した「イラスト画調１」を作成し、画像データＤ１が生成する。
【００７０】
そして、ＣＰＵ１１は前述と同様にこの生成した画像データＤ１をＪＰＥＧ方式で処理し、圧縮する（ステップＳ１０８）。したがって、このステップＳ１０８での処理により、前記画像データ「Ｄ６」からＪＰＥＧ形式の画像データ「Ｄ１.ＪＰＥＧ」が生成される。そして、この生成されたＪＰＥＧ形式の画像データをメモリカード１８のフォルダＢに保存する（ステップＳ１０９）。よって、このステップＳ１０９での処理により、図３（ｂ）に例示するようにメモリカード１８のフォルダＢには、ＪＰＥＧ形式の画像データ「Ｄ１.ＪＰＥＧ」が記憶されることとなる。
【００７１】
因みに、この画像表示装置１に表示されている画像データＤ６や画像データＤ１は１つのＪＰＥＧ画像であるため、あくまで全体の雰囲気を素早く把握するためのものであってその中の１つの縮小画像を選択することはできない。
【００７２】
他方、サムネイルではなく、画調変換された画像にタッチしたとすると、ステップＳ１０６の判断はＮＯとなり、かつステップＳ１１０の判断がＹＥＳとなる。したがって、ＣＰＵ１１はステップＳ１１０からステップＳ１１１へ進み、当該画調変換された画像に対応するサムネイルに対応する本画像を当該画調で画調変換して表示する。
【００７３】
つまり、図５（ｂ）の状態で、「油絵調６」にタッチしたとすると、「油絵調６」に対応するサムネイルは「サムネイル６」であり、「サムネイル６」に対応する本画像は「本画像６」ある。したがって、「本画像６」を油絵調で画調変換した画像データを生成し、この画像データに基づく変換画調画像を表示する。引き続き、本画像を画調変換した画像データを前述と同様に、ＪＰＥＧ処理して（ステップＳ１０８）、フォルダＢに保存する。
【００７４】
したがって、前述のようにサムネイルを画調変換した画像により、画像表示装置１で素早く所望の画調変換を行った画像を見ることができるのみならず、見た結果、気に入った画調の画像に対応する本画像を当該画調で変換して観賞し、保存しておくこともできる。
【００７５】
なお、上記の実施の形態においては、ページ送り操作により１画面のデータを全部入れ替えたが、１行ずつあるいは１列ずつ入れ替えていくようにしても、同じ技術思想の範囲内である。
【００７６】
また、上記の実施の形態における行方向を列方向に、列方向を行方向とした場合も、同様に同じ技術思想の範囲内である。
【００７７】
また、上記の実施の形態においては、各画像ファイルＦ１、Ｆ２、Ｆ３・・・に、撮影された画像であり本画像である画像データ（本画像１、２、３・・・）と、その画像データの縮小画像であるサムネイルの画像データ（サムネイル１、２、３・・・）とが記録されているものとした。しかし、撮影された画像データ（本画像１、２、３・・・）のみが記録されている場合には、ステップＳ１０１の処理で４個のファイルから本画像を読み出し、これら本画像に基づきサムネイルを作成するようにすればよい。
また、上記実施の形態においては、本発明をデジタルフォトフレームに適用した場合を説明したが、本発明は、デジタルフォトフレームに限定されるものでなく、例えば、各種のコンピュータ、ＰＤＡ、携帯電話、デジタルカメラ、プリンタなどの電子機器においても適用することができる。
【００７８】
以下に本願原出願の当初の特許請求の範囲に記載された発明を付記する。
［請求項１］
本画像を表す画像データを複数記憶する記憶手段と、
前記本画像に対して縮小された画像である縮小画像を表示する表示手段と、
前記本画像または縮小画像を複数種類の画調に変換する画調変換手段と、
前記表示手段の列方向または行方向に前記縮小画像を複数配列して表示させ、行方向または列方向に該表示された縮小画像の複数種類の画調の画調変換画像を配列して表示させる表示制御手段と
を具備したことを特徴とする画像表示装置。
［請求項２］
前記表示制御手段は、前記表示を列方向または行方向にページ送りをすると、次ページの縮小画像を配列して表示させるとともに、その新たな縮小画像の前記複数種類の画調と同じ種類の画調の画調変換画像を配列して表示させることを特徴とする請求項１記載の画像表示装置。
［請求項３］
前記表示制御手段は、前記表示を行方向または列方向にページ送りをすると、表示されている縮小画像はそのままに、その縮小画像の前記複数種類の画調と異なる複数種類の画調の画調変換画像を配列して表示させることを特徴とする請求項１記載の画像表示装置。
［請求項４］
前記表示制御手段は、前記表示されている表示画面を列方向または行方向に送ると、次の縮小画像を配列して表示させるとともに、その新たな縮小画像の前記複数種類の画調と同じ種類の画調の画調変換画像を配列して表示させることを特徴とする請求項１記載の画像表示装置。
［請求項５］
前記表示制御手段は、前記表示されている表示画面を行方向または列方向に送ると、表示されている縮小画像はそのままに、その縮小画像の前記複数種類の画調と異なる複数種類の画調の画調変換画像を配列して表示させることを特徴とする請求項１記載の画像表示装置。
［請求項６］
前記表示制御手段は、前記表示手段に表示された表示データの一部若しくは全部を１つのＪＰＥＧ画像データとして、前記記憶手段に記録する手段を有していることを特徴とする請求項１ないし５いずれかに記載の画像表示装置。
［請求項７］
前記表示制御手段は、前記表示されている縮小画像を指定すると、その縮小画像とその縮小画像を画調変換した１または複数の画調変換画像を組にして１つの画像データとして前記記憶手段に記録する手段を有していることを特徴とする請求項１ないし５いずれかに記載の画像表示装置。
［請求項８］
前記表示制御手段は、前記表示されている変換画調画像を指定すると、その指定された変換画調画像に対応する縮小画像の本画像をその指定された種類の画調に変換する手段を有していることを特徴とする請求項１ないし５いずれかに記載の画像表示装置。
［請求項９］
メモリカードを着脱可能に備え、
前記記憶手段はメモリカードであることを特徴とする請求項１ないし８いずれかに記載の画像表示装置。
［請求項１０］
本画像である画像データまたはその縮小画像を複数種類の画調の異なる画調変換画像に変換して表示する画像表示方法において、
複数の画像データを記憶し、
前記画像データの縮小画像を作成するとともに、列方向または行方向に該縮小画像を複数配列して表示させ、行方向または列方向に該表示された縮小画像に対応する複数種類の画調の画調変換画像を配列して表示させることを特徴とする画像表示方法。
［請求項１１］
前記表示を列方向または行方向にページ送りをすると、次ページの前記縮小画像を配列して表示するとともに、その新たな縮小画像に対応する前記複数種類の画調と同じ種類の画調の画調変換画像を配列して表示することを特徴とする請求項１０記載の画像表示方法。
［請求項１２］
前記表示されている変換画調画像を選択すると、それに対応する縮小画像の本画像をその選択された種類の画調に変換して表示することを特徴とする請求項１０または１１いずれかに記載の画像表示方法。
［請求項１３］
本画像である画像データまたはその縮小画像を複数種類の画調の異なる画調変換画像に変換して表示する画像表示方法において、
着脱可能なメモリカードに複数の画像データを記憶し、
前記画像データの縮小画像を作成するとともに、列方向または行方向に該縮小画像を複数配列して表示させ、行方向または列方向に該表示された縮小画像に対応する複数種類の画調の画調変換画像を配列して表示させるとともに、
表示されている表示画面の一部若しくは全部を１つのＪＰＥＧ画像データとして前記メモリカードに記録し、当該メモリカードを他の画像表示装置に装着して前記ＪＰＥＧ画像データを表示可能としたことを特徴とする画像表示方法。
［請求項１４］
前記表示されている変換画調画像を指定すると、その指定された変換画調画像に対応する縮小画像の本画像をその指定された種類の画調に変換することを特徴とする請求項１０ないし１３いずれかに記載の画像表示方法。
［請求項１５］
本画像を表す画像データを複数記憶するステップと、
前記本画像に対して縮小された画像である縮小画像を作成するステップと、
前記本画像または縮小画像を複数種類の所定の画調に変換するステップと、
前記表示手段の列方向または行方向に前記縮小画像を複数配列して表示させ、該表示手段の行方向または列方向に該表示された縮小画像の複数種類の画調の画調変換画像を配列して表示させるステップと、
を含むことを特徴とするコンピュータにより読み取り実行可能なプログラム。
［請求項１６］
更に、前記表示を列方向または行方向にページ送りをすると、次ページの縮小画像を配列して表示するステップと、
その新たな縮小画像の前記複数種類の画調と同じ種類の画調の画調変換画像を配列して表示するステップと、
を含むことを特徴とする請求項１５記載のコンピュータにより読み取り実行可能なプログラム。
［請求項１７］
更に、前記表示を行方向または列方向にページ送りをすると、表示されている縮小画像はそのままに、その縮小画像の前記複数種類の画調と異なる複数種類の画調の画調変換画像を配列して表示するステップと、を含むことを特徴とする請求項１４記載のコンピュータにより読み取り実行可能なプログラム。
［請求項１８］
本画像である画像データまたはその縮小画像を複数種類の画調の異なる画調変換画像に変換して表示する装置が有するコンピュータが読み取り実行可能なプログラムであって、
着脱可能なメモリカードに複数の画像データを記憶するステップと、
前記画像データの縮小画像を作成するステップと、
前記縮小画像から複数種類の変換画調画像を作成するステップと、
列方向または行方向に前該縮小画像を複数配列して表示させ、行方向または列方向に前該表示された縮小画像に対応する複数種類の画調の画調変換画像を配列して表示させるステップと、
表示されている表示画面の一部若しくは全部を１つのＪＰＥＧ画像データとして前記メモリカードに記録するステップと、
を含むことを特徴とするコンピュータにより読み取り実行可能なプログラム。
【００７９】
これにより、請求項１〜５、１０、１１、１３、１５〜１７記載の発明によれば、素早く多数の画像に対して複数種類の画調変換を行った場合の雰囲気をみることができる。
また、請求項８、１２、１４記載の発明によれば、画調変換すべき画像を素早く選択することができる。
また、請求項６、７、９、１８記載の発明によれば、画像表示装置で作成した特殊な形式の画像も、メモリカード経由で他の画像表示装置に表示させることができる。
【符号の説明】
【００８０】
１    画像表示装置
２    本体
３    液晶表示パネル
６    メモリカードスロット
１０    画像表示時計
１１    ＣＰＵ
１２    ＲＯＭ
１３    ＲＡＭ
１６    表示コントローラ
１７    メモリカードコントローラ
１８    メモリカード
１９    タッチパネル
【図１】
0005548963.tif 000002
【図２】
0005548963.tif 000003
【図３】
0005548963.tif 000004
【図４】
0005548963.tif 000005
【図５】
0005548963.tif 000006
【図６】
0005548963.tif 000007